【手続補正書】
【提出日】令和3年2月3日(2021.2.3)
【手続補正１】
【補正対象書類名】特許請求の範囲
【補正対象項目名】全文
【補正方法】変更
【補正の内容】
【特許請求の範囲】
【請求項１】
マニュアルフォーカス操作を受け付ける受付手段と、
前記マニュアルフォーカス操作に応じて、撮像手段で撮像されているライブビュー画像を拡大するか否かを設定する第１の設定手段と、
表示アイテムが重畳表示される被写体の合焦位置から現在の合焦位置への方向とズレ量を示す前記表示アイテムを表示するか否かを設定する第２の設定手段と、
前記マニュアルフォーカス操作を受け付けた場合に、前記マニュアルフォーカス操作を受け付ける前に表示していた前記ライブビュー画像を第１の倍率から拡大することなく前記表示アイテムを前記ライブビュー画像に重畳表示する第１の表示形態と、前記表示アイテムを前記ライブビュー画像に重畳表示しない、かつ、前記ライブビュー画像を前記第１の倍率より大きい第２の倍率で表示する第２の表示形態とを含む複数の表示形態のなかから、前記第１の設定手段の設定内容と前記第２の設定手段の設定内容とに基づく表示形態で画像を表示するように制御する表示制御手段と、
を有し、
前記表示制御手段は、
Ａ）前記受付手段が前記マニュアルフォーカス操作を受け付ける前は、前記第２の設定手段の設定内容に関わらず、前記ライブビュー画像を前記第１の倍率で表示し、かつ、前記表示アイテムを表示しないように制御し、
Ｂ）前記受付手段が前記マニュアルフォーカス操作を受け付けた後、
前記第１の設定手段が前記ライブビュー画像を拡大しない設定、かつ、前記第２の設定手段が前記ライブビュー画像に重畳して前記表示アイテムを表示する設定である場合は、前記受付手段により前記マニュアルフォーカス操作の受け付けを開始したことに応じて前記ライブビュー画像を前記第１の表示形態で表示し、
前記第１の設定手段が前記ライブビュー画像を拡大する設定である場合は、前記受付手段により前記マニュアルフォーカス操作の受け付けを開始したことに応じて前記ライブビュー画像を前記第２の表示形態で表示し、
前記受付手段により前記マニュアルフォーカス操作の受け付けを開始したことに応じて、前記ライブビュー画像を前記第１の設定手段の設定内容に基づいて前記第１の倍率もしくは前記第２の倍率で表示した後に、前記受付手段へのマニュアルフォーカス操作の操作量に応じて前記ライブビュー画像の倍率を変化させることなくマニュアルフォーカス調整を行うように制御する
ことを特徴とする電子機器。
【請求項２】
前記表示制御手段は、Ｂ）前記受付手段が前記マニュアルフォーカス操作を受け付けた後に、前記第１の設定手段が前記ライブビュー画像を拡大しない設定であり、かつ、前記第２の設定手段が前記ライブビュー画像に重畳して前記表示アイテムを表示しない設定である場合には、前記受付手段により前記マニュアルフォーカス操作の受け付けを開始したことに応じて、前記ライブビュー画像を拡大しない、かつ、前記ライブビュー画像に重畳して前記表示アイテムを表示しない第３の表示形態で画像を表示するように制御する、
ことを特徴とする請求項１に記載の電子機器。
【請求項３】
前記表示アイテムを前記ライブビュー画像に重畳表示せず、かつ、前記ライブビュー画像を前記第１の倍率で表示している状態は、オートフォーカス動作の実行後の状態であることを特徴とする請求項１または２に記載の電子機器。
【請求項４】
前記表示制御手段は、オートフォーカスの結果として表示する合焦したか否かを示す表示要素に代えて、前記表示アイテムを表示するように制御することを特徴とする請求項３に記載の電子機器。
【請求項５】
前記表示アイテムは、合焦度合いを示す表示アイテムである
ことを特徴とする請求項１乃至４のいずれか１項に記載の電子機器。
【請求項６】
電子機器の制御方法であって、
マニュアルフォーカス操作を受け付ける受付ステップと、
前記マニュアルフォーカス操作に応じて、撮像手段で撮像されているライブビュー画像を拡大するか否かを設定する第１の設定ステップと、
表示アイテムが重畳表示される被写体の合焦位置から現在の合焦位置への方向とズレ量を示す前記表示アイテムを表示するか否かを設定する第２の設定ステップと、
前記マニュアルフォーカス操作を受け付けた場合に、前記マニュアルフォーカス操作を受け付ける前に表示していた前記ライブビュー画像を第１の倍率から拡大することなく前記表示アイテムを前記ライブビュー画像に重畳表示する第１の表示形態と、前記表示アイテムを前記ライブビュー画像に重畳表示しない、かつ、前記ライブビュー画像を前記第１の倍率より大きい第２の倍率で表示する第２の表示形態とを含む複数の表示形態のなかから、前記第１の設定ステップでの設定内容と前記第２の設定ステップでの設定内容とに基づく表示形態で画像を表示するように制御する表示制御ステップと、
を有し、
前記表示制御ステップでは、
Ａ）前記受付ステップにおいて前記マニュアルフォーカス操作を受け付ける前は、前記第２の設定ステップでの設定内容に関わらず、前記ライブビュー画像を前記第１の倍率で表示し、かつ、前記表示アイテムを表示しないように制御し、
Ｂ）前記受付ステップにおいて前記マニュアルフォーカス操作を受け付けた後、
前記第１の設定ステップでは前記ライブビュー画像を拡大しない設定、かつ、前記第２の設定ステップでは前記ライブビュー画像に重畳して前記表示アイテムを表示する設定である場合は、前記受付ステップにおいて前記マニュアルフォーカス操作の受け付けを開始したことに応じて前記ライブビュー画像を前記第１の表示形態で表示し、
前記第１の設定ステップでは前記ライブビュー画像を拡大する設定である場合は、前記受付ステップにおいて前記マニュアルフォーカス操作の受け付けを開始したことに応じて前記ライブビュー画像を前記第２の表示形態で表示し、
前記受付ステップにおいて前記マニュアルフォーカス操作の受け付けを開始したことに応じて、前記ライブビュー画像を前記第１の設定ステップでの設定内容に基づいて前記第１の倍率もしくは前記第２の倍率で表示した後に、前記受付ステップにおけるマニュアル
フォーカス操作の操作量に応じて前記ライブビュー画像の倍率を変化させることなくマニュアルフォーカス調整を行うように制御する
ことを特徴とする電子機器の制御方法。
【請求項７】
コンピュータを、請求項１乃至５のいずれか１項に記載された電子機器の各手段として機能させるためのプログラム。
【請求項８】
コンピュータを、請求項１乃至５のいずれか１項に記載された電子機器の各手段として機能させるためのプログラムを格納したコンピュータが読み取り可能な記憶媒体。
【手続補正２】
【補正対象書類名】明細書
【補正対象項目名】発明の名称
【補正方法】変更
【補正の内容】
【発明の名称】電子機器及びその制御方法
【手続補正３】
【補正対象書類名】明細書
【補正対象項目名】０００１
【補正方法】変更
【補正の内容】
【０００１】
本発明は、電子機器及びその制御方法に関するものである。
【手続補正４】
【補正対象書類名】明細書
【補正対象項目名】０００６
【補正方法】変更
【補正の内容】
【０００６】
上記目的を達成するために本発明にあっては、
マニュアルフォーカス操作を受け付ける受付手段と、
前記マニュアルフォーカス操作に応じて、撮像手段で撮像されているライブビュー画像を拡大するか否かを設定する第１の設定手段と、
表示アイテムが重畳表示される被写体の合焦位置から現在の合焦位置への方向とズレ量を示す前記表示アイテムを表示するか否かを設定する第２の設定手段と、
前記マニュアルフォーカス操作を受け付けた場合に、前記マニュアルフォーカス操作を受け付ける前に表示していた前記ライブビュー画像を第１の倍率から拡大することなく前記表示アイテムを前記ライブビュー画像に重畳表示する第１の表示形態と、前記表示アイテムを前記ライブビュー画像に重畳表示しない、かつ、前記ライブビュー画像を前記第１の倍率より大きい第２の倍率で表示する第２の表示形態とを含む複数の表示形態のなかから、前記第１の設定手段の設定内容と前記第２の設定手段の設定内容とに基づく表示形態で画像を表示するように制御する表示制御手段と、
を有し、
前記表示制御手段は、
Ａ）前記受付手段が前記マニュアルフォーカス操作を受け付ける前は、前記第２の設定手段の設定内容に関わらず、前記ライブビュー画像を前記第１の倍率で表示し、かつ、前記表示アイテムを表示しないように制御し、
Ｂ）前記受付手段が前記マニュアルフォーカス操作を受け付けた後、
前記第１の設定手段が前記ライブビュー画像を拡大しない設定、かつ、前記第２の設定手段が前記ライブビュー画像に重畳して前記表示アイテムを表示する設定である場合は、前記受付手段により前記マニュアルフォーカス操作の受け付けを開始したことに応じて前記ライブビュー画像を前記第１の表示形態で表示し、
前記第１の設定手段が前記ライブビュー画像を拡大する設定である場合は、前記受付手段により前記マニュアルフォーカス操作の受け付けを開始したことに応じて前記ライブビュー画像を前記第２の表示形態で表示し、
前記受付手段により前記マニュアルフォーカス操作の受け付けを開始したことに応じて、前記ライブビュー画像を前記第１の設定手段の設定内容に基づいて前記第１の倍率もしくは前記第２の倍率で表示した後に、前記受付手段へのマニュアルフォーカス操作の操作量に応じて前記ライブビュー画像の倍率を変化させることなくマニュアルフォーカス調整を行うように制御する
ことを特徴とする。